(57)【特許請求の範囲】
【請求項１】
照明光源を含む照明部と、
被検出物の接近により前記被検出物との間の静電容量が変化するセンサ電極と、
前記照明部と容量性カップリングを形成するガード電極と、
前記センサ電極及びガード電極と接続され、前記センサ電極と前記被検出物との間の静電容量値を測定して前記被検出物の接近を検出すると共に、前記ガード電極を前記センサ電極と同電位に制御する接近検出部と、
前記接近検出部の検出結果に基づいて前記照明光源を点灯、消灯又は調光制御する照明制御部と
を備え、
前記ガード電極は、前記照明部との容量性カップリングが、前記センサ電極と前記照明部との寄生容量よりも大きくなる位置に配置され、前記ガード電極は、前記センサ電極よりも前記照明部に近い位置に配置されている
ことを特徴とする照明装置。
【請求項２】
前記センサ電極及び前記ガード電極は絶縁樹脂からなるベース基材の表裏に形成され、前記ガード電極は、前記照明部側に配置されていることを特徴とする請求項１記載の照明装置。
【請求項３】
前記ガード電極は、透明性を有する導電体からなり、前記照明部を覆うように配置されていることを特徴とする請求項１記載の照明装置。
【請求項４】
前記ガード電極は、
前記センサ電極よりも前記照明部に近い位置に配置された第１のガード電極と、
透明性を有する導電体からなり、前記照明部を覆うように配置された第２のガード電極と、
を有することを特徴とする請求項１記載の照明装置。
【請求項５】
照明光源を含む照明部と、
被検出物の接近により前記被検出物との間の静電容量が変化するセンサ電極と、
前記照明部と容量性カップリングを形成するガード電極と、
前記センサ電極及びガード電極と接続され、前記センサ電極と前記被検出物との間の静電容量値を測定して前記被検出物の接近を検出すると共に、前記ガード電極を前記センサ電極と同電位に制御する接近検出部と、
前記接近検出部の検出結果に基づいて前記照明光源を点灯、消灯又は調光制御する照明制御部と
を備え、
前記ガード電極は、前記照明部との容量性カップリングが、前記センサ電極と前記照明部との寄生容量よりも大きくなる位置に配置され、前記ガード電極は、前記照明部と一体化するように配置されている
ことを特徴とする照明装置。
【請求項６】
前記ガード電極と前記照明部との間に配置されたグランド電極を更に備えることを特徴とする請求項１〜５のいずれか１項記載の照明装置。
【請求項７】
照明光源を含む照明部と、
被検出物の接近により前記被検出物との間の静電容量が変化するセンサ電極と、
前記照明部と容量性カップリングを形成するガード電極と、
前記センサ電極及びガード電極と接続され、前記センサ電極と前記被検出物との間の静電容量値を測定して前記被検出物の接近を検出すると共に、前記ガード電極を前記センサ電極と同電位に制御する接近検出部と、
前記接近検出部の検出結果に基づいて前記照明光源を点灯、消灯又は調光制御する照明制御部と、
前記センサ電極、前記ガード電極及び前記照明部が装着される筐体と
を具備し、
前記ガード電極は、前記筐体に沿った経路における前記センサ電極と前記照明部との間に装着され、
前記ガード電極は、前記照明部との容量性カップリングが、前記センサ電極と前記照明部との寄生容量よりも大きくなる位置に配置されている
ことを特徴とする照明装置。
【発明の詳細な説明】
【技術分野】
【０００１】
この発明は、被検出物の接近を検出して照明の動作を制御する照明装置に関する。
【背景技術】
【０００２】
人体などの被検出物の接近を検出して、例えば照明光源の電源をオンオフする車室内照明装置が知られている（下記特許文献１参照）。この車室内照明装置では、光源及び基板を覆うように電極部が配置されており、電極部に人体が接近した場合に光源の電源をオン状態にして照明を点灯させる構成となっている。
【先行技術文献】
【特許文献】
【０００３】
【特許文献１】特開２００７−２３０４５０号公報
【発明の概要】
【発明が解決しようとする課題】
【０００４】
しかしながら、上述した特許文献１に開示されている車室内照明装置では、電極部と光源及び基板との間に寄生容量が存在する。このため、光源を点灯、消灯或いは調光させた場合に光源及びその駆動回路の電位が変動すると、電極部の電荷量が変動して検出すべき静電容量値が変化してしまい、誤動作が起こる可能性がある。
【０００５】
この発明は、上述した従来技術による問題点を解消するため、回路の電位が変動してもセンサ電極による被検出物の検出に影響を与えることなく誤動作を防止することができる照明装置を提供することを目的とする。
【課題を解決するための手段】
【０００６】
上述した課題を解決し、目的を達成するため、本発明に係る照明装置は、照明光源を含む照明部と、被検出物の接近により前記被検出物との間の静電容量が変化するセンサ電極と、前記照明部と容量性カップリングを形成するガード電極と、前記センサ電極及びガード電極と接続され、前記センサ電極と前記被検出物との間の静電容量値を測定して前記被検出物の接近を検出すると共に、前記ガード電極を前記センサ電極と同電位に制御する接近検出部と、前記接近検出部の検出結果に基づいて前記照明光源を点灯、消灯又は調光制御する照明制御部とを備え、前記ガード電極は、前記照明部との容量性カップリングが、前記センサ電極と前記照明部との寄生容量よりも大きくなる位置に配置されていることを特徴とする。
【０００７】
本発明に係る照明装置によれば、照明部と容量性カップリングを形成するガード電極がセンサ電極と照明部との寄生容量よりも大きくなる位置に配置されているので、照明部の電位変動に基づく電荷量の変動はガード電極において支配的となり、センサ電極にはその影響が及ぶことはない。そして、ガード電極はセンサ電極と同電位に制御されているので、ガード電極とセンサ電極との間で電荷の移動は生じない。このため、センサ電極と被検出物との間の静電容量値を正確に測定することができ、センサ電極による被検出物の検出を正確且つ確実に行って照明部の動作を制御できるので、誤動作を防止することができる。
【０００８】
なお、前記ガード電極は、例えば前記センサ電極よりも前記照明部に近い位置に配置された第１のガード電極、透明性を有する導電体からなり、前記照明部を覆うように配置された第２のガード電極、及び前記照明部と一体化するように配置された第３のガード電極の少なくとも一つから構成することができる。
【０００９】
また、前記ガード電極と前記照明部との間に配置されたグランド電極を更に備える構成としてもよい。
【００１０】
更に、前記センサ電極、前記ガード電極及び前記照明部が装着される筐体を具備し、前記ガード電極は、前記筐体に沿った経路における前記センサ電極と前記照明部との間に装着される構成であってもよい。
【発明の効果】
【００１１】
本発明によれば、回路の電位が変動してもセンサ電極による被検出物の検出に影響を与えることなく誤動作を防止することができる。
【図面の簡単な説明】
【００１２】
【図１】本発明の第１の実施形態に係る照明装置の回路構成を示すブロック図である。
【図２】同照明装置の内部構成を示す断面図である。
【図３】同照明装置の電極部を示す平面図である。
【図４】同照明装置の静電容量検知回路の回路図である。
【図５】本発明の第２の実施形態に係る照明装置の内部構成の一部を示す断面図である。
【図６】同照明装置の電極部を示す平面図である。
【図７】本発明の第３の実施形態に係る照明装置の内部構成の一部を示す断面図である。
【図８】本発明の第４の実施形態に係る照明装置の内部構成を示す断面図である。
【図９】同照明装置のＬＥＤ基板を示す斜視図である。
【図１０】同照明装置のＬＥＤ基板の他の例を示す図である。
【図１１】本発明の第５の実施形態に係る照明装置の内部構成を示す断面図である。
【図１２】本発明の第６の実施形態に係る照明装置の内部構成の一部を示す断面図である。
【図１３】本発明の第７の実施形態に係る照明装置の静電容量検知回路２１の回路図である。
【発明を実施するための形態】
【００１３】
以下、添付の図面を参照して、この発明に係る照明装置の実施の形態を詳細に説明する。
【００１４】
［第１の実施形態］
図１は、本発明の第１の実施形態に係る照明装置の回路構成を示すブロック図である。また、図２は、照明装置の内部構成を示す断面図、図３は照明装置の電極部を示す平面図である。本実施形態に係る照明装置１００は、例えば自動車の車室内の天井部などに備えられたルームランプとして用いられる。
【００１５】
この照明装置１００は、図１に示すように、例えば被検出物としての指９の接近を検出して照明を点灯、消灯又は調光するものである。被検出物は指９の他にも手や人体の他の部位などであってもよい。照明装置１００は、例えば電極部１０と、接近検出部２０と、照明制御部２３と、照明部３０とを備える。電極部１０は、指９との間の静電容量を検知するセンサ電極１１と、照明部３０と容量性カップリングを形成するガード電極１２とを備える。
【００１６】
接近検出部２０は、センサ電極１１と指９との間の静電容量に対応したセンサ電極１１と接地端子との間の静電容量値を測定してその情報を電圧値として出力する静電容量検知回路２１と、静電容量検知回路２１からの情報に基づき指９の接近を判定する判定回路２２とを備える。なお、静電容量検知回路２１は、センサ電極１１及びガード電極１２と接続され、ガード電極１２をセンサ電極１１と同電位に駆動する。なお、ここで言う「同電位」とは、完全な「同電位」に限るものではなく、誤差を含んだ「ほぼ同電位」も含むものである。
【００１７】
照明制御部２３は、判定回路２２からの判定結果に基づいて、照明部３０の点灯、消灯又は調光の動作を制御する。
【００１８】
このように構成された照明装置１００は、図２に示すように、例えば自動車の天井部等に配置される筐体４０を有し、筐体４０の内部に構成されている。筐体４０は、樹脂製の円板状の裏パネル４１と、この裏パネル４１に取り付けられる枠体４２と、この枠体４２に装着され照明部３０の前面に配置された円板状のレンズ又は透明樹脂からなる透明パネル４３とにより構成されている。なお、図では裏パネル４１が下側に配置されているが、自動車の天井部に取り付ける際には、裏パネル４１が天井面に配置され、透明パネル４３が下側に配置されることになる。
【００１９】
なお、裏パネル４１は、上記樹脂製の他、例えばアルミ板などの導体部材を加工して形成されていてもよい。但し、導電部材を用いる場合は、上記ガード電極１２と同電位（ガード電位）かグランド電位に固定されていることが望ましい。
【００２０】
照明部３０は、筐体４０の内部において、裏パネル４１のほぼ中央部に配置され、ＬＥＤ基板３２と、このＬＥＤ基板３２に搭載された複数のＬＥＤ３１とを有する。裏パネル４１には、ＬＥＤ基板３２と配線１９で接続された回路基板２９も取り付けられている。回路基板２９には、例えば静電容量検知回路２１及び判定回路２２や図示しないが照明制御部２３等が搭載され、電極部１０と接続されている。
【００２１】
照明部３０のＬＥＤ３１から発せられた光は、透明パネル４３を介して筐体４０の外部に照射される。透明パネル４３の周囲の枠体４２の内側には、図３に示すように、例えば円環状に形成された電極部１０が配置されている。電極部１０は、ベース基材１３の両面にセンサ電極１１及びガード電極１２が形成されたフレキシブル基板やメンブレン回路等からなる。ベース基材１３は、例えば０．１ｍｍ〜１．６ｍｍ程度の厚さの絶縁樹脂フィルムやプリント基板などからなる。
【００２２】
この電極部１０は、センサ電極１１が、指９が接近する枠体４２側に配置され、ガード電極１２が照明部３０側となるような状態で枠体４２の裏面に取り付けられている。すなわち、本実施形態においては、ガード電極１２はセンサ電極１１に近接するように、且つセンサ電極１１と照明部３０との間に配置されている。従って、ガード電極１２は照明部３０と容量性カップリングを形成し、この容量性カップリングは、センサ電極１１と照明部３０との間の寄生容量よりも大きい。そして、このようにガード電極１２を配置することにより、センサ電極１１と照明部３０の容量性カップリングは減少する。
【００２３】
センサ電極１１及びガード電極１２は、ＰＥＴ、ＰＥＮ、ＰＩ、ＰＡ等の絶縁樹脂からなるベース基材１３上にパターン形成された銅、銅合金又はアルミニウムや鉄などの金属部材（導電材）や電線などで構成することができる。また、これらの電極１１，１２が透明電極である場合は、錫ドープ酸化インジウム（ＩＴＯ）や導電性ポリマーで構成することもできる。
【００２４】
導電性ポリマーとしては、例えばＰＥＤＯＴ／ＰＳＳ（ポリエチレンジオキシチオフェン／ポリスチレンスルフォニック酸）や、ＰＥＤＯＴ／ＴｓＯ（ポリエチレンジオキシチオフェン／トルエンスルフォネート）などを用いることができる。また、光源であるＬＥＤ３１の代わりに、電球やエレクトロルミネセンス（ＥＬ）などの発光体を用いるようにしてもよい。
【００２５】
静電容量検知回路２１は、照明装置１００に接近する指９とセンサ電極１１との間の静電容量に基づく静電容量値を測定し、この静電容量値を示す情報を判定回路２２に出力する。静電容量検知回路２１は、例えばＣ−Ｖ変換回路からなり、センサ電極１１によって検知された静電容量を電圧に変換して出力する。
【００２６】
判定回路２２は、静電容量検知回路２１からの静電容量値を所定のしきい値と比較して、例えばその静電容量値がしきい値より上昇したり、静電容量値が所定の傾き（しきい値）以上で変化したりした場合などに、指９が照明装置１００に接近したか否か、どの程度接近したかなどを判定する。
【００２７】
なお、静電容量検知回路２１は、公知のＣＲ充放電時間を計測する回路、充電した電荷を既知のコンデンサに転送する回路、インピーダンスを測定する回路、発振回路を構成して発振周波数を計測する回路等を用いて構成することができる。このような静電容量検知回路２１に接続されたガード電極１２は、センサ電極１１と同電位に駆動される。
【００２８】
図４は、静電容量検知回路２１の具体例を示す回路図である。オペアンプＯＰ１の反転入力端子には、スイッチＳ１を介してセンサ電極１１が接続され、非反転入力端子にはガード電極１２が接続されている。オペアンプＯＰ１の非反転入力端子は、スイッチＳ２を切り替えて基準電圧Ｖｒ又は接地電圧ＧＮＤのいずれかを選択的に供給できるようになっている。オペアンプＯＰ１の反転入力端子と出力端子の間には、転送用キャパシタＣｆ１が接続され、この転送用キャパシタＣｆ１と並列にスイッチＳ３が接続されている。
【００２９】
この静電容量検知回路２１では、まずスイッチＳ１を接地端子に接続し、スイッチＳ２を接地端子に接続し、スイッチＳ３をオン状態にする。これにより、センサ電極１１及び転送用キャパシタＣｆ１の電荷が放電される。次に、スイッチＳ１を切り替えて、センサ電極１１とオペアンプＯＰ１の反転入力端子とを接続すると共に、スイッチＳ２を基準電圧Ｖｒに接続し、スイッチＳ３をオフ状態にする。これにより、オペアンプＯＰ１の入力側のイマジナリーショートを介してセンサ電極１１に基準電圧Ｖｒが印加され、センサ電極１１に電荷Ｃ１Ｖｒが充電され、転送用キャパシタＣｆ１にも電荷Ｃ１Ｖｒが充電される。ここで、静電容量値Ｃ１，Ｃｆは、それぞれセンサ電極１１と接地との間の静電容量値及び転送用キャパシタＣｆ１の静電容量値である。
【００３０】
次に、スイッチＳ２を接地端子と接続し、その後、スイッチＳ１を接地端子に接続する。これにより、電荷Ｃ１Ｖｒが転送用キャパシタＣｆ１に充電されたことによる出力電圧Ｖ１＝（Ｃ１／Ｃｆ）Ｖｒが出力される。この出力電圧Ｖ１が、センサ電極１１と接地端子との間の静電容量値Ｃ１、すなわちセンサ電極１１と指９との静電容量値によって変化する。このため、出力電圧Ｖ１の大きさを判定することにより、指９の接近を検出することができる。
【００３１】
ここで、センサ電極１１と照明部３０との間には寄生容量が存在するため、スイッチＳ１がオペアンプＯＰ１の反転入力端子に接続されている状態で、後段の判定回路２２の判定結果などにより、照明部３０が点灯、消灯又は調光制御された場合、センサ電極１１の蓄積電荷量が照明部３０における電位変化の影響を受けて変化する可能性がある。
【００３２】
しかし、この実施形態によれば、センサ電極１１と照明部３０との間にガード電極１２が存在するため、照明部３０との容量性カップリングは、ガード電極１２の方が支配的となり、センサ電極１１の電荷量が照明部３０の電位変動の影響を受けない。また、ガード電極１２はオペアンプＯＰ１の非反転入力端子に接続されて、センサ電極１１と同電位を維持する。このため、センサ電極１１の電荷量がガード電極１２によって影響を受けることもない。この結果、本実施形態によれば、照明部３０の電位変動がセンサ電極１１に影響しにくい構成となっている。
【００３３】
従って、静電容量検知回路２１は、オペアンプＯＰ１から出力される静電容量値Ｃ１に応じた電圧Ｖ１を測定して検出値とすることができるので、本実施形態に係る照明装置１００によれば、指９の接近を正確に検出して、照明制御部２３によりＬＥＤ３１の動作を確実に制御することができる。これにより、照明装置１００の誤動作を防止することができる。
【００３４】
［第２の実施形態］
図５は、本発明の第２の実施形態に係る照明装置の内部構成の一部を示す断面図、図６は照明装置の電極部を示す平面図である。図５に示すように、本実施形態に係る照明装置１００は、電極部１０Ａの構成が、第１の実施形態に係る電極部１０の構成と相違している。
【００３５】
すなわち、電極部１０Ａは、円環状のベース基材１３の片面に形成されたセンサ電極１１と、このセンサ電極１１の内周側に円板状に形成された透明電極からなるガード電極１２とを備えて構成されている。センサ電極１１は、上記と同様に指９が接近する透明パネル４３の周囲の枠体４２の内側に配置され、ガード電極１２は透明パネル４３の内側に照明部３０を覆うように配置される。
【００３６】
このようなガード電極１２を有する構成によっても、照明部３０との容量性カップリングは、ガード電極１２において支配的となるので、照明部３０の電位変動によるセンサ電極１１への影響を抑えて指９の接近による正確な検出値を得ることができる。従って、上記第１の実施形態と同様の作用効果を奏することができる。
【００３７】
［第３の実施形態］
図７は、本発明の第３の実施形態に係る照明装置の内部構成の一部を示す断面図である。図７に示すように、本実施形態に係る照明装置１００は、電極部１０Ｂの構成が、第１の実施形態に係る電極部１０と、第２の実施形態に係る電極部１０Ａとを組み合わせた構成となっている。
【００３８】
すなわち、電極部１０Ｂは、円環状のベース基材１３の両面に形成されたセンサ電極１１及び第１のガード電極１２ａと、これらセンサ電極１１及び第１のガード電極１２ａの内周側に円板状に形成された透明電極からなる第２のガード電極１２ｂとを備えて構成されている。これらの配置態様は上記と同様である。
【００３９】
このような第１及び第２のガード電極１２ａ，１２ｂを有する構成によっても、照明部３０の電位変動によるセンサ電極１１への影響を抑えることができる。従って、指９の接近による正確な検出値を得ることができ、上記第１及び第２の実施形態と同様の作用効果を奏することができる。
【００４０】
［第４の実施形態］
図８は、本発明の第４の実施形態に係る照明装置の内部構成を示す断面図、図９は照明装置のＬＥＤ基板を示す斜視図である。図８及び図９に示すように、本実施形態に係る照明装置１００は、電極部１０Ｃの構成が、第１〜第３の実施形態に係る電極部１０〜１０Ｂの構成と相違している。
【００４１】
すなわち、電極部１０Ｃは、円環状のベース基材１３の片面に形成されたセンサ電極１１と、ＬＥＤ基板３２上に設けられた円板状のガード電極１２とを備えて構成されている。センサ電極１１は、指９が接近する透明パネル４３の周囲の枠体４２の内側に配置され、ガード電極１２はＬＥＤ基板３２のほぼ全面を覆うように配置される。
【００４２】
なお、ガード電極１２には、照明部３０のＬＥＤ３１を挿通させるための穴部１２ｃが形成されている。また、ガード電極１２は、ＬＥＤ３１から発せられた光を、透明パネル４３を介して効率良く照射するために、例えば図示しない反射板や明るい色の基材の下に配置したり、反射する塗料や明るい色で着色されたりしてもよい。
【００４３】
更に、照明部３０は、図１０に示すように構成されてもよい。図１０に示すＬＥＤ基板３２は、片面（この例では、裏パネル４１側）にＬＥＤ配線３３が形成されると共に反対側（この例では、透明パネル４３側）の面にガード電極１２が形成されている。また、ＬＥＤ配線３３に接続されたＬＥＤ３１がＬＥＤ基板３２に形成されたスルーホール３２ａ内に配置されている。このように構成すれば、照明部３０全体の高さを抑えて小型化を図ることができる。
【００４４】
このように、ＬＥＤ基板３２上にガード電極１２を一体的に配置した構成によっても、照明部３０の電位変動によるセンサ電極１１への影響を抑えることができる。従って、指９の接近による正確な検出値を得ることができ、上記第１〜第３の実施形態と同様の作用効果を奏することができる。
【００４５】
［第５の実施形態］
図１１は、本発明の第５の実施形態に係る照明装置の内部構成を示す断面図である。図１１（ａ）に示すように、本実施形態に係る照明装置１００は、電極部１０Ｄの構成が、第１の実施形態に係る電極部１０と、第４の実施形態に係るガード電極１２の代わりにＬＥＤ基板３２に形成されたグランド電極１４とを組み合わせた構成となっている。
【００４６】
すなわち、電極部１０Ｄは、円環状のベース基材１３の両面に形成されたセンサ電極１１及びガード電極１２と、ＬＥＤ基板３２上に設けられた円板状のグランド電極１４とを備えて構成されている。センサ電極１１及びガード電極１２の配置態様は第１の実施形態と同様であり、グランド電極１４の配置態様は第４の実施形態のガード電極１２と同様である。
【００４７】
このように、ＬＥＤ基板３２とガード電極１２との間にグランド電極１４を配置した構成とすることにより、照明装置１００の電源の変動を抑えることができる。また、グランド電極１４とセンサ電極１１との間にガード電極１２が配置されているため、グランドの影響をセンサ電極１１が受けることはない。
【００４８】
従って、この実施形態によれば、グランド電極１４が存在してもセンサ電極１１の検出感度が低下することがなく、且つ、照明部３０の電位変動の影響をグランド電極１４がシールドすると共に、照明部３０の電位変動によるセンサ電極１１への影響をガード電極１２で抑えることができる。このため、指９の接近による正確な検出値を得て、上記第１〜第４の実施形態と同様の作用効果を奏することができる。
【００４９】
なお、図１１（ｂ）に示すように、ガード電極１２を、グランド電極１４の上に絶縁基材や空間を介して配置し、図示しない配線を介して静電容量検知回路２１と接続するように構成すると、更に検知感度及び照明部３０の電位変動の影響抑制効果が向上する。
【００５０】
［第６の実施形態］
図１２は、本発明の第６の実施形態に係る照明装置の内部構成の一部を示す断面図である。図１２に示すように、本実施形態に係る照明装置１００は、電極部１０Ｅの構成が、第１〜第５の実施形態に係る電極部１０〜１０Ｄの構成と相違している。すなわち、電極部１０Ｅは、ベース基材１３の片面に円環状に形成されたセンサ電極１１と、このセンサ電極１１と同一面上の外周側に円環状に形成されたガード電極１２とを備えて構成されている。
【００５１】
一般に、筐体４０の誘電率εが高いので、筐体４０を介したセンサ電極１１と照明部３０との間の容量性カップリングが問題となる。この実施形態は、これを低減させようとするものである。すなわち、ガード電極１２は、センサ電極１１の枠体４２への装着位置と、照明部３０の裏パネル４１への装着位置との間の枠体４２及び裏パネル４１に沿った所定位置に装着されることとなる。このようにガード電極１２を筐体４０に沿った経路におけるセンサ電極１１と照明部３０との間に配置した構成とすることにより、センサ電極１１と照明部３０との筐体４０を介した誘電的な結合をガードすることができると共に、筐体４０を介した導電的な結合（リーク電流）もガードすることができる。このため、指９の接近による正確な検出値を得て、上記第１〜第５の実施形態と同様の作用効果を奏することができる。
【００５２】
［第７の実施形態］
図１３は、本発明の第７の実施形態に係る照明装置の静電容量検知回路２１を示す図である。図１３に示すように、本実施形態に係る静電容量検知回路２１は差動動作するものとして構成される。この静電容量検知回路２１では、図４で示したような既知の電圧で充電した電荷を既知の容量に移動してその電圧を測定する方式が採用される。
【００５３】
この実施形態では、図４に示した回路構成に加え、図４に示したオペアンプＯＰ１と同等のオペアンプＯＰ２を有する。オペアンプＯＰ２の反転入力端子には、スイッチＳ１を介してダミー電極１５が接続され、非反転入力端子には、基準電圧Ｖｒと接地電圧ＧＮＤを選択的に供給するスイッチＳ２が接続されている。また、オペアンプＯＰ２の反転入力端子と出力端子との間には、転送用キャパシタＣｆ２が接続され、この転送用キャパシタＣｆ２と並列にスイッチＳ３が接続されている。ダミー電極１５は、例えば指９等の人体との接近に対する感度を無くす位置（例えばシールド電極で人体の近接に対する感度を落とせる位置等）に配置され、温度、外部ノイズ等の環境特性に対しては、センサ電極１１と同様の感度を有するものである。
【００５４】
オペアンプＯＰ１，ＯＰ２を中心とする２つの回路は、同一の動作を実行し、その結果得られた出力電圧Ｖ１，Ｖ２は、差動増幅器ＳＡで差動増幅されて出力される。このときの出力電圧ＶはＶ＝（Ｃ１／Ｃｆ−Ｃ２／Ｃｆ）Ｖｒ（但し、Ｃ２は、ダミー電極１５と接地端子との間の静電容量、Ｃｆは転送用キャパシタＣｆ１，Ｃｆ２の静電容量）となり、静電容量Ｃ１に応じた電圧Ｖとなる。
【００５５】
このように、静電容量検知回路２１を差動動作する構成（差動回路）とすることにより、回路の温度特性を相殺したりコモンモードノイズを低減したりすることができる。
【００５６】
［その他の実施形態］
以上の各実施形態では、各電極をベース基材１３の片面或いは両面に形成したものを例に挙げて説明したが、例えば枠体４２や透明パネル４３の内部に埋め込んだり、これらの表面に直接貼り付けたりしたものであってもよい。また、導電性インクなどを印刷したり塗布したりして各電極を形成するようにしてもよい。
【００５７】
なお、照明装置１００におけるセンサ電極１１、ガード電極１２、照明部３０及びグランド電極１４の配置態様は、上記各実施形態で説明したもの以外でも、本発明の趣旨を逸脱しない範囲であれば種々のものが適用できる。
【００５８】
また、電極部に複数のセンサ電極を設け、これらと静電容量検知回路２１とをスイッチを介して接続し、このスイッチにより各センサ電極を切り替えて静電容量値を測定するようにしてもよい。そして、測定したそれぞれの静電容量値の時間変化を監視して指９の動きによりＬＥＤ３１の動作を制御するようにすれば、より細かい照明制御が可能となる。
【００５９】
なお、本発明は、照明装置に適用を限定されるものではなく、他の種々の装置にも適用することができる。すなわち、同様に人体との間の静電容量値を測定して、測定結果をスイッチ出力として出力したり、制御信号として用いたりして、車載機器、家電用機器、産業用機器、輸送機器、建造物などの制御に利用する静電容量式スイッチ装置や機器制御装置などに適用することができる。
【符号の説明】
【００６０】
１０        電極部
１１        センサ電極
１２        ガード電極
１３        ベース基材
１４        グランド電極
１５        ダミー電極
２０        接近検出部
２１        静電容量検知回路
２２        判定回路
２３        照明制御部
３０        照明部
３１        ＬＥＤ
３２        ＬＥＤ基板
４０        筐体
４１        裏パネル
４２        枠体
４３        透明パネル
【図１】
0005671747.tif 000002
【図２】
0005671747.tif 000003
【図３】
0005671747.tif 000004
【図４】
0005671747.tif 000005
【図５】
0005671747.tif 000006
【図６】
0005671747.tif 000007
【図７】
0005671747.tif 000008
【図８】
0005671747.tif 000009
【図９】
0005671747.tif 000010
【図１０】
0005671747.tif 000011
【図１１】
0005671747.tif 000012
【図１２】
0005671747.tif 000013
【図１３】
0005671747.tif 000014